(57)【要約】【課題】本発明は、撮影レンズを経由して入射する被写体像をレリーズ操作に応じて捉えることにより撮影を行う撮影装置に関し、撮影条件の設定に関する一連の操作における操作性が優れた撮影装置を提供することを目的とする。【解決手段】排他的にいずれかが設定される複数の項目を有するモードの切替えと切り替えられたモード内の項目の設定を、相対的に操作の初期の段階で操作を検出するタッチセンサ１０４１の検出による、シャッタレリーズボタン１０４へのシングルクリック操作とダブルクリック操作との組合せに応じて行う。【選択図】        図５
2006333075.tif 000002
【特許請求の範囲】
【請求項１】
排他的にいずれかが設定される複数の項目を有するモードを複数有し、レリーズ操作に応じてこれら複数のモードそれぞれについて設定された項目の集合による撮影条件の下で撮影を行う撮影装置について、
相対的に操作の初期の段階で操作を検出するモード設定用センサと、相対的に操作が進んだ段階で操作を検出する１つ以上の撮影用センサとを有するレリーズボタンと、
前記モード設定用センサの検出による、前記レリーズボタンへの２種類の操作態様の操作の組合せに応じて、モードの切替えと切り替えられたモード内の項目の設定を行う撮影条件設定部と、
前記撮影用センサによる前記レリーズボタンへの操作の検出に応じて、前記撮影条件設定部により設定された撮影条件に基づく撮影を行う撮影部とを備えたことを特徴とする撮影装置。
【請求項２】
前記撮影条件設定部は、所定のモードの所定の項目が選択されかつ未設定の状態において、前記撮影用センサによる前記レリーズボタンへの操作の検出があったときは、該未設定の項目を設定することなく動作を終了するものであることを特徴とする請求項１記載の撮影装置。
【請求項３】
前記複数のモードのうちの１つとして静止画撮影と動画撮影とを切り替える静止画／動画切替モードを有し、
前記撮影条件設定部は、該静止画／動画切替モードに切り替えられた状態で静止画撮影と動画撮影との２つの項目のうちのいずれかを設定するものであることを特徴とする請求項１記載の撮影装置。
【請求項４】
撮影された画像を表す画像データを記憶しておく画像データ記憶部を備え、
前記モード設定用センサの検出による、前記レリーズボタンへの２種類の操作態様の所定の操作の組合せに応じて、前記画像データ記憶部に記憶されている画像データを読み出して画像を再生する画像再生モードに移行させる画像再生モード切替制御部を備えたことを特徴とする請求項１記載の撮影装置。
【請求項５】
前記モード設定用センサの検出による、前記レリーズボタンへの２種類の操作態様の所定の操作の組合せに応じて、この撮影装置の電源をオフにする電源制御部を備えたことを特徴とする請求項１記載の撮影装置。
【請求項６】
この撮影装置の電源がオフの状態における前記レリーズボタンへの所定の操作に応じて該電源をオンにする電源制御部を備えたことを特徴とする請求項１記載の撮影装置。
【発明の詳細な説明】
【技術分野】
【０００１】
本発明は、撮影レンズを経由して入射する被写体像をレリーズ操作に応じて捉えることにより撮影を行う撮影装置に関する。
【背景技術】
【０００２】
従来より、撮像素子上に被写体の像を結像させて、その被写体を表す画像データを取り込むデジタルカメラや、写真フィルム上に写真撮影を行うフィルムカメラなどといった撮影装置が知られている。また、撮影装置の中には、排他的にいずれかが設定される複数の項目を有するモードを複数有し、これら複数のモードそれぞれについて設定された項目の集合による撮影条件の下で撮影を行うことができるように構成された撮影装置がある。このような撮影装置は、撮影装置にもよるが、モードの切替えや切り替えられたモード内の項目の設定を行うための操作子が撮影装置の上面や背面に配備されているものが多く、ユーザがこの操作子を操作することによって、所望の撮影条件の設定を行うことができる（例えば、特許文献１参照。）。
【特許文献１】特開２００２−２６２１５３号公報
【発明の開示】
【発明が解決しようとする課題】
【０００３】
ところが、このような撮影装置でユーザが所望の撮影条件の設定を行うにあたって、撮影装置の背面や上面などに配備された操作子を操作するには、一方の手で撮影装置を保持した上で、他方の手でその操作子を操作する必要がある。従って、例えば片手がふさがっていて、もう一方の片手だけでその操作子を操作する必要があるような状況では、操作性に劣るといった問題がある。
【０００４】
本発明は、上記事情に鑑み、撮影条件の設定に関する一連の操作における操作性が優れた撮影装置を提供することを目的とするものである。
【課題を解決するための手段】
【０００５】
上記目的を達成する本発明の撮影装置は、
排他的にいずれかが設定される複数の項目を有するモードを複数有し、レリーズ操作に応じてこれら複数のモードそれぞれについて設定された項目の集合による撮影条件の下で撮影を行う撮影装置について、
相対的に操作の初期の段階で操作を検出するモード設定用センサと、相対的に操作が進んだ段階で操作を検出する１つ以上の撮影用センサとを有するレリーズボタンと、
上記モード設定用センサの検出による、上記レリーズボタンへの２種類の操作態様の操作の組合せに応じて、モードの切替えと切り替えられたモード内の項目の設定を行う撮影条件設定部と、
上記撮影用センサによる上記レリーズボタンへの操作の検出に応じて、上記撮影条件設定部により設定された撮影条件に基づく撮影を行う撮影部とを備えたことを特徴とする。
【０００６】
ここで、本発明にいう「モード設定用センサ」とは、例えば、レリーズボタンへの接触／非接触を検出するタッチセンサや、寸押しを検出するセンサや、赤外線センサや、指紋センサなどをいう。また、本発明にいう「相対的に操作の初期の段階」とは、例えば、レリーズボタンが接触や寸押しされた状態などをいう。また、本発明にいう「相対的に操作が進んだ段階」とは、例えば、レリーズボタンが半押しや全押しされた状態などをいう。さらに、本発明にいう「２種類の操作態様の操作の組合せ」とは、例えば、１回の接触／非接触の操作（以下、このような操作をシングルクリック操作と称する）と、連続する２回の接触／非接触の操作（以下、このような操作をダブルクリック操作と称する）との組合せや、シングルクリック操作と、所定時間長を超える時間長の全押しの押下操作（以下、このような所定時間長を超える時間長の全押しの押下操作を長押し操作と称する）との組合せなどをいう。
【０００７】
本発明の撮影装置は、モードの切替えと切り替えられたモード内の項目の設定を、上記モード検出用センサの検出による、レリーズボタンへの２種類の操作の組合せに応じて行うものである。一般に、レリーズ操作を行うためのレリーズボタンは、ユーザが撮影装置を構えるときに指を置きやすい位置に設けられている。従って、そのような位置に設けられるレリーズボタンへの操作で、モードの切替えや、モード内の項目の設定も行うことができるように構成された、本発明の撮影装置によれば、撮影装置を構えたままの状態で、所望の撮影条件を設定し、設定された撮影条件に基づく撮影を行うことが容易であるため、例えば、この撮影装置を片手で構えるような場合であっても操作性が良い。
【０００８】
ここで、上記本発明の撮影装置において、上記撮影条件設定部は、所定のモードの所定の項目が選択されかつ未設定の状態において、上記撮影用センサによる上記レリーズボタンへの操作の検出があったときは、その未設定の項目を設定することなく動作を終了するものであることが好ましい。
【０００９】
このような好ましい形態によれば、例えば、撮影装置を構えた際に、誤操作によってモードを切り替える動作に移行してしまったとしても、モード内の項目が未設定の状態で撮影動作を行うことによって、モードを切り替える動作が取り消されるとともに、撮影動作が実行されるため、例えば、誤操作によってシャッタチャンスを逃すようなことが回避される。
【００１０】
また、上記本発明の撮影装置は、
「上記複数の項目のうちの１つとして静止画撮影と動画撮影とを切り替える静止画／動画切替モードを有し、
上記撮影条件設定部は、その静止画／動画切替モードに切り替えられた状態で静止画撮影と動画撮影との２つの項目のうちのいずれかを設定するものである」
という形態も好ましい。
【００１１】
このような好ましい形態によれば、撮影装置を構えた状態であっても、静止画撮影と動画撮影とを素早く切り替えることができる。
【００１２】
また、上記本発明の撮影装置は、
「撮影された画像を表す画像データを記憶しておく画像データ記憶部を備え、
上記モード設定用センサの検出による、上記レリーズボタンへの２種類の操作態様の所定の操作の組合せに応じて、上記画像データ記憶部に記憶されている画像データを読み出して画像を再生する画像再生モードに移行させる画像再生モード切替制御部を備えた」
ことも好ましい形態である。
【００１３】
このような好ましい形態によれば、画像データ記憶部に記憶されている画像データを表す画像を再生する際にも片手で操作することができるため、使い勝手がよい。
【００１４】
また、上記本発明の撮影装置は、上記モード設定用センサの検出による、上記レリーズボタンへの２種類の操作態様の所定の操作の組合せに応じて、この撮影装置の電源をオフにする電源制御部を備えたという形態も好ましい。
【００１５】
このような電源制御部を備えた撮影装置によれば、撮影後に電源をオフにする際にも片手で操作することができる。
【００１６】
さらに、上記本発明の撮影装置は、この撮影装置の電源がオフの状態における上記レリーズボタンへの所定の操作に応じてその電源をオンにする電源制御部を備えたことも好ましい形態である。
【００１７】
ここで、このような好ましい形態における「所定の操作」とは、例えば、ダブルクリック操作や長押し操作などをいう。このような電源制御部を備えた撮影装置によれば、電源がオフの状態から電源をオンにする際にも片手で操作することができる。
【発明の効果】
【００１８】
本発明によれば、撮影条件の設定に関する一連の操作における操作性が優れた撮影装置が提供される。
【発明を実施するための最良の形態】
【００１９】
以下、図面を参照して本発明の実施の形態を説明する。
【００２０】
ここでは、本発明を、撮像素子（ここでは、Ｃｈａｒｇｅ  Ｃｏｕｐｌｅｄ  Ｄｅｖｉｃｅ：ＣＣＤとする）上に被写体の像を結像させて、その被写体を表す撮影画像データを取り込むデジタルカメラに適用した実施形態について説明する。尚、このデジタルカメラは、デジタルカメラ本体に対して光軸方向に進退する沈胴式のレンズ鏡胴を備えたデジタルカメラであって、電源がオンされるとレンズ鏡胴が繰り出され、電源がオフされるとレンズ鏡胴がレンズの焦点距離領域より更に沈胴されて、レンズ先端部がデジタルカメラ本体より突出しないデジタルカメラである。また、このデジタルカメラは、排他的にいずれかが設定される複数の項目を有するモードを複数有し、後述するレリーズ操作に応じてこれら複数のモードそれぞれについて設定された項目の集合による撮影条件の下で撮影を行うものである。
【００２１】
図１は、本発明の撮影装置の一実施形態が適用されたデジタルカメラを前面斜め上から見た外観斜視図であり、図２は、図１に示すデジタルカメラを背面斜め上から見た外観斜視図である。尚、図１には、レンズ鏡胴が沈胴されてレンズ先端部がデジタルカメラ本体より突出しない非撮影時の状態の図が示されている。
【００２２】
図１に示すように、デジタルカメラ１００の正面の中央部には、外観上、ズームレンズや、被写体に焦点を合わせるフォーカスレンズなどで構成される撮影レンズ１０１が備えられている。また、このデジタルカメラ１００の前面上部には、撮影者が被写体の位置などを定めるために覗く光学式ファインダ対物窓１０２、およびシャッタレリーズボタン１０４への押下操作に同期して発光する閃光発光装置１０３が備えられている。さらに、このデジタルカメラ１００の上面には、シャッタレリーズボタン１０４が備えられている。このシャッタレリーズボタン１０４は、接触／非接触と半押しと全押しの３段で構成されており、接触／非接触の操作によって後述する各種モードの切替えや切り替えられたモード内の項目の設定が行われ、半押しの押下操作によって露出制御および合焦が行われ、全押しの押下操作によって被写体の本撮影が行われる。このシャッタレリーズボタン１０４は、本発明にいうレリーズボタンの一例に相当する。デジタルカメラ１００の内部には、撮影レンズ１０１の背面に配備されたＣＣＤ１１４（図３参照）が備えられている。撮影レンズ１０１を経由してきた被写体光はＣＣＤ１１４に入射されて電気信号であるアナログの画像信号に変換される。
【００２３】
また、図２に示すように、このデジタルカメラ１００の背面には、光学式ファインダ接眼窓１０５と、‘△’マークが記された操作部１０６ａと‘▽’マークが記された操作部１０６ｂとからなるズーム操作キー１０６と、画像やメニューを表示する液晶ディスプレイ（Ｌｉｑｕｉｄ  Ｃｒｙｓｔａｌ  Ｄｉｓｐｌａｙ：ＬＣＤ）パネル１０７とが備えられている。ズーム操作キー１０６のうちの‘△’マークが記された操作部１０６ａを押下すると、押下し続けている間、レンズ鏡胴が沈胴状態から最大繰出状態に向かって移動し、ズーム操作キー１０６のうちの‘▽’マークが記された操作部１０６ｂを押下すると、押下し続けている間、レンズ鏡胴が繰出状態から沈胴状態に向かって移動する。
【００２４】
図３は、図１，図２に示すデジタルカメラのブロック図である。
【００２５】
デジタルカメラ１００には、タッチセンサ１０４１、第１撮影用センサ１０４２、および第２撮影用センサ１０４３を有するシャッタレリーズボタン１０４、ズームレンズ１１１、モータドライバ１１１ａ、ズームモータ１１１ｂ、アイリス１１２、モータドライバ１１２ａ、絞りモータ１１２ｂ、フォーカスレンズ１１３、モータドライバ１１３ａ、フォーカスモータ１１３ｂ、ＣＣＤ１１４、タイミングジェネレータ１１４ａ、ＣＤＳ−ＡＭＰ１２１、Ａ／Ｄ（Ａｎａｌｏｇ／Ｄｅｇｉｔａｌ）変換部１２２、メモリコントローラ１２３、ＡＦ値判断部１２４、画像信号処理部１２５、ＣＰＵ１２６、ＡＦ検出部１２７、ビデオエンコーダ１２８、メディアコントローラ１２９、ＲＯＭ１３０、Ｅ2ＰＲＯＭ１３１、ＲＡＭ１３２、電源制御部１３３、撮影条件設定部１３４、画像再生モード切替制御部１３５、および画像表示装置１４０が具備されており、さらに、記憶メディア１５０が接続されている。デジタルカメラ１００の内部には、これらの他にも、シャッタなどが備えられているが、これらは、本発明の主題とは無関係であるので図示を省略する。
【００２６】
まず、図１，図２にも示すシャッタレリーズボタン１０４について説明する。
【００２７】
図１〜図３に示すシャッタレリーズボタン１０４は、相対的に操作の初期の段階で、シャッタレリーズボタン１０４への接触／非接触の操作に同期して接触／非接触を検出するタッチセンサ１０４１を有している。詳細な説明は後述するが、タッチセンサ１０４１の検出による、シャッタレリーズボタン１０４への１回の接触／非接触の操作（以下、このような１回の接触／非接触の操作をシングルクリック操作と称する）と、連続する２回の接触／非接触の操作（以下、このような連続する２回の接触／非接触の操作をダブルクリック操作と称する）との組合せに応じて、各種撮影条件の設定状況や、撮影されて記憶された画像の再生の指示や、デジタルカメラ１００の電源をオフにする指示等がＣＰＵ１２６に伝えられ実行される。このタッチセンサ１０４１は、本発明にいうモード設定用センサの一例に相当する。また、このシャッタレリーズボタン１０４は、相対的に操作が進んだ段階で、シャッタレリーズボタン１０４への半押しの押下操作に同期して半押しされたことを検出する第１撮影用センサ１０４２、およびシャッタレリーズボタン１０４への全押しの押下操作に同期して全押しされたことを検出する第２撮影用センサ１０４３も有している。第１撮影用センサ１０４２による、シャッタレリーズボタン１０４への半押しの押下操作の検出を受けてフォーカスロックが設定され、第２撮影用センサ１０４３による、シャッタレリーズボタン１０４への全押しの押下操作の検出を受けて被写体の本撮影が行われる。また、デジタルカメラ１００の電源がオフの状態において、第２撮影用センサ１０４３による、シャッタレリーズボタン１０４への所定時間長を超える時間長の全押しの押下操作（以下、このような所定時間長を超える時間長の全押しの押下操作を長押し操作と称する）の検出を受けて、電源制御部１３３によってデジタルカメラ１００の電源がオンされる。この第１撮影用センサ１０４２と第２撮影用センサ１０４３を合わせたものは、本発明にいう撮影用センサの一例に相当する。
【００２８】
次に、光学系の要素について説明する。
【００２９】
ズームレンズ１１１は、焦点距離の変化に係わるレンズである。尚、本来、デジタルカメラなどといった撮影装置の光学系には複数のレンズが配備され、それら複数のレンズのうち少なくとも１つのレンズがピントの調節に大きく関与し、各レンズの相対位置が焦点距離に関与するが、この図３では、それらの複数のレンズのうち、焦点距離の変化に係わるレンズをズームレンズ１１１として模式的に示しており、ピントの調節に係わるレンズをフォーカスレンズ１１３として模式的に示している。ズームレンズ１１１にはズームモータ１１１ｂが取り付けられており、そのズームモータ１１１ｂはＣＰＵ１４０からの指示に従った指示信号によって駆動される。図２に示すズーム操作キー１０６の、‘△’マークが記された操作部１０６ａや、‘▽’マークが記された操作部１０６ｂが押下されると、ＣＰＵ１４０からの、ズームレンズ１１１を所定の駆動範囲内で移動させる指示に従った指示信号が、モータドライバ１１１ａを介してズームモータ１１１ｂに与えられる。ズームモータ１１１ｂがその指示信号に従って回転すると、ズームレンズ１１１が移動する。尚、デジタルカメラ１００のズーム機能は、光学ズームと電子ズームとの併用で行われており、図２に示すズーム操作キー１０６のうちの‘△’マークが記された操作部１０６ａを押下することによって望遠（ＴＥＬＥ）側、‘▽’マークが記された操作部１０６ｂを押下することによって広角（ＷＩＤＥ）側にズームされる。光学ズーム範囲内の所定のズーム位置に現在調整されていると想定した場合に、‘△’マークが記された操作部１０６ａを押下し続けると、光学的なズームアップの限界まではズームレンズ１１１の移動などによる光学的なズームアップが行われ、光学的なズームアップの限界を過ぎると、その‘△’マークが記された操作部１０６ａに対する押下のレベルをＣＰＵ１２６で検出し、電子的なズームアップが行われる。この電子的なズームアップは、この押下のレベルをＣＰＵ１２６で検出し、ＣＣＤ１１４上の拡大範囲を演算によって決定して行われる。
【００３０】
アイリス１１２には、大きさの異なる２つの孔が設けられている。また、アイリス１１２には絞りモータ１１２ｂが取り付けられており、ＣＰＵ１２６からの指示に従った指示信号が、モータドライバ１１２ａを介して絞りモータ１１２ｂに与えられる。絞りモータ１１２ｂがその指示信号に従って回転すると、アイリス１１２に設けられた孔が切り替えられる。このような切り替えによって、被写体光の光量が調整される。
【００３１】
フォーカスレンズ１１３は、被写体に焦点を合わせるためのレンズである。フォーカスレンズ１１３にはフォーカスモータ１１３ｂが取り付けられており、ＣＰＵ１２６からの、フォーカスレンズ１１３を所定の駆動範囲内で移動させる指示や、フォーカスレンズ１１３を合焦位置に向かわせるための合焦位置の指示に従った指示信号が、モータドライバ１１３ａを介してフォーカスモータ１１３ｂに与えられる。フォーカスモータ１１３ｂがその指示信号に従って回転すると、フォーカスレンズ１１３が移動する。
【００３２】
次に、被写体を撮影し、その撮影画像に信号処理を施す要素について説明する。
【００３３】
デジタルカメラ１００に、図示しない二次電池を装填し、上述したように、電源がオフの状態においてシャッタレリーズボタン１０４を長押し操作し、この長押し操作が第２撮影用センサ１０４３によって検出されると、電源制御部１３３によって電源がオンされ、デジタルカメラ１００が駆動される。また、このデジタルカメラ１００の電源をオフにするにあたっては、タッチセンサ１０４１の検出による、シャッタレリーズボタン１０４へのシングルクリック操作とダブルクリック操作との後述する所定の組合せに応じて、電源制御部１３３によって電源がオフされる。この電源制御部１３３は、本発明にいう電源制御部の一例に相当する。
【００３４】
デジタルカメラ１００が駆動されると、図１に示す撮影レンズ１０１内のフォーカスレンズ１１３に取り付けられたフォーカスモータ１１３ｂが光軸方向に駆動されて撮影画角の中央領域に焦点を合わせる、フォーカス機能によるフォーカシングが連続的に行われる。シャッタレリーズボタン１０４が半押しされると、フォーカスレンズ１１３の位置をその半押しされた時点の位置に固定するフォーカスロックが設定され、シャッタレリーズボタン１０４が全押しされると、シャッタが切られて被写体の本撮影が行われる。
【００３５】
ＲＯＭ１３０には、デジタルカメラ１００を動作させる各種プログラムなどが保存されている。また、このＲＯＭ１３０には、シャッタレリーズボタン１０４へのシングルクリック操作とダブルクリック操作との組合せに応じて切り替えられる複数のモードそれぞれに関するモード情報や、各モード内の項目に関する項目情報も保存されている。デジタルカメラ１００は、本発明にいう複数のモードの一例に相当する、“静止画／動画切替”モード、“ズーム”モード、“マクロ”モード、“フラッシュ発光”モード、“ＩＳＯ感度”モード、“露出”モード、“逆光補正”モード、“画像再生”モード、および“電源オフ”モードを有している。“静止画／動画切替”モードは、静止画撮影と動画撮影との２つの項目を切り替えるモードである。“ズーム”モードは、図２に示すズーム操作キー１０６の、‘△’マークが記された操作部１０６ａや、‘▽’マークが記された操作部１０６ｂが押下操作された際のズーム動作として、連続的なズーム動作（以下、このようなズーム動作を連続ズームと称する）と所定の倍率ごとのズーム動作（以下、このようなズーム動作を倍率ズームと称する）との２つの項目を切り替えるモードである。“マクロ”モードは、所定の近距離範囲内での撮影（以下、このような撮影を“マクロ”モードオンと称する）と、この近距離範囲よりも遠方の被写体の撮影（以下、このような撮影を“マクロ”モードオフと称する）との２つの項目を切り替えるモードである。“フラッシュ発光”モードは、ＡＵＴＯ発光と強制発光と赤目補正発光との３つの項目を切り替えるモードである。“ＩＳＯ感度”モードは、ＩＳＯ感度を切り替えるモードである。“露出”モードは、レンズのＦ値とシャッタースピードとの組合せとして、組合せ１と組合せ２と組合せ３との３つの項目を切り替えるモードである。“逆光補正”モードは、逆光条件下における撮影でフラッシュを強制発光させるか否か（以下、強制発光させる場合を“逆光補正”モードオンと称し、強制発光させない場合を“逆光補正”モードオフと称する）の２つの項目を切り替えるモードである。“画像再生”モードは、記憶メディア１５０に記憶されている画像データを読み出して画像を再生するモードである。“電源オフ”モードは、デジタルカメラ１００の電源をオフにするモードである。
【００３６】
撮影条件設定部１３４は、タッチセンサ１０４１の検出による、シャッタレリーズボタン１０４へのシングルクリック操作とダブルクリック操作との組合せに応じて、モードの切替えと切り替えられたモード内の項目の設定を行う。尚、この撮影条件設定部１３４は、所定のモードの所定の項目が選択されかつ未設定の状態において、第１撮影用センサ１０４２および第２撮影用センサ１０４３によるシャッタレリーズボタン１０４への操作の検出があったときは、その未設定の項目を設定することなく動作を終了する。この撮影条件設定部１３４は、本発明にいう撮影条件設定部の一例に相当する。
【００３７】
Ｅ2ＰＲＯＭ１３１には、例えばユーザによって、各モードそれぞれについて設定された項目情報などが書き込まれて保存される。
【００３８】
ＣＰＵ１２６は、図１〜図３に示すデジタルカメラ１００の各種要素を制御する。また、ＣＰＵ１２６は、第１撮影用センサ１０４２および第２撮影用センサ１０４３によるシャッタレリーズボタン１０４への操作の検出に応じて、撮影条件設定部１３４によって設定された撮影条件に基づく撮影を行う。このＣＰＵ１２６は、本発明にいう撮影部の一例に相当する。
【００３９】
ＣＣＤ１１４は、図１の撮影レンズ１０１を通ってきた被写体光を受光して、ＣＰＵ１２６の指示により、被写体光に基づく被写体像を結像し、アナログ信号である被写体信号として読み取る。この被写体信号は、タイミングジェネレータ１１４ａからの指示に従って、ＣＤＳ−ＡＭＰ１２１に出力される。
【００４０】
タイミングジェネレータ１１４ａは、所定時間ごと、あるいは図１，図２に示すシャッタレリーズボタン１０４が押下されたときに、ＣＣＤ１１４に被写体信号を出力させる指示を送る。
【００４１】
ＣＤＳ−ＡＭＰ１２１は、増幅率を調整してその調整された増幅率で被写体信号を増幅する。
【００４２】
Ａ／Ｄ変換部１２２は、被写体信号をデジタルデータである撮影画像データに変換する。
【００４３】
メモリコントローラ１２３は、撮影画像データの出力先を制御する。
【００４４】
デジタルカメラ１００は、フォーカスレンズ１１３の合焦位置を検出する合焦動作を行うために、本撮影の前にも撮影画像データを生成する。この合焦動作の際の撮影画像データは、解像度が低い一時的なデータであり、ＡＦ検出部１２７やＡＦ値判断部１２４やＲＡＭ１３２に送られる。また、本撮影時に生成される解像度の高い撮影画像データは、ＲＡＭ１３２に送られて書き込まれる。
【００４５】
ＡＦ検出部１２７は、メモリコントローラ１２３から送られてきた解像度の低い撮影画像データを基に、撮影画像のコントラストを検出する。検出されたコントラストは、ＡＦ値判断部１２４に送られる。
【００４６】
ＡＦ値判断部１２４は、ＡＦ検出部１２７から送られてきたコントラストを基にフォーカスレンズ１１３の合焦位置を決定する。決定された合焦位置は、ＣＰＵ１２６に伝えられ、ＣＰＵ１２６からフォーカスレンズ１１３のモータドライバ１１３ａに駆動指示が与えられる。
【００４７】
ＲＡＭ１３２には、撮影時に一時的に蓄えられる撮影画像データなどが書き込まれる。
【００４８】
画像信号処理部１２５は、本撮影時に生成されてＲＡＭ１３２に書き込まれた撮影画像データをＲＡＭ１３２から読み出して、その撮影画像データのＲＧＢレベルの調節、ガンマ調整、圧縮処理などを行う。
【００４９】
ビデオエンコーダ１２８は、ＣＰＵ１２６からの指示に従い、画像信号処理部１２５によって圧縮された撮影画像データを画像表示装置１４０で表示できるデータの形式に変換する。
【００５０】
ビデオエンコーダ１２８によって変換された後の撮影画像データは、画像表示装置１４０に送られ、画像表示装置１４０は、撮影画像データが表す撮影画像をＬＣＤパネル１０７（図２参照）に表示させる。
【００５１】
メディアコントローラ１２９は、記憶メディア１５０への撮影画像データの記憶や読み出しを制御する。
【００５２】
画像表示装置１４０はメニュー画面や撮影画像データが表す撮影画像をＬＣＤパネル１０７（図２参照）に表示させるためのものである。
【００５３】
記憶メディア１５０は、撮影された画像を表す画像データを記憶しておく記憶媒体である。この記憶メディア１５０は、本発明にいう画像データ記憶部の一例に相当する。
【００５４】
画像再生モード切替制御部１３５は、タッチセンサ１０４１の検出による、シャッタレリーズボタン１０４へのシングルクリック操作とダブルクリック操作との後述する所定の組合せに応じて、記憶メディア１５０に記憶されている画像データを読み出して画像を再生する画像再生モードに移行させる。この画像再生モード切替制御部１３５は、本発明にいう画像再生モード切替制御部の一例に相当する。
【００５５】
本実施形態のデジタルカメラ１００は、基本的には以上のように構成されている。
【００５６】
ここで、デジタルカメラ１００における、本発明の一実施形態としての特徴は、モードの切替え操作や、切り替えられたモード内の項目を設定する操作にあり、以下、これらの操作手順について説明する。
【００５７】
図４は、デジタルカメラの電源がオフの状態から電源をオンにするまでの間における動作の流れを説明するフローチャートである。
【００５８】
図４に示すフローチャートで説明する動作は、デジタルカメラ１００の電源がオフの状態において、図１〜図３に示すシャッタレリーズボタン１０４が全押しされることによって開始される。
【００５９】
デジタルカメラ１００の電源がオフの状態において、図１〜図３に示すシャッタレリーズボタン１０４が全押しされ、所定時間長を超える時間長の全押しの押下操作である長押し操作が図３に示す第２撮影用センサ１０４３によって検出されるまでは、電源がオンされることなく電源がオフの状態が継続し（ステップＳ１０１：Ｎｏ）、その長押し操作が第２撮影用センサ１０４３によって検出されると（ステップＳ１０１：Ｙｅｓ）、図３に示す電源制御部１３３によって電源がオンされて、デジタルカメラ１００が駆動される（ステップＳ１０２）。デジタルカメラ１００が駆動されると、図３に示すＣＰＵ１２６からの指示に従って、デジタルカメラ１００の本体に対して光軸方向に進退する沈胴式のレンズ鏡胴が繰り出されると共に、スルー画像が図２に示すＬＣＤパネル１０７に表示され、撮影可能な状態となる。
【００６０】
次に、モードの切替えや切り替えられたモード内の項目の設定に関する動作について説明する。
【００６１】
図５は、デジタルカメラのシャッタレリーズボタンへの操作に応じた、モードの切替え動作および切り替えられたモード内の項目の設定動作の流れの一覧を示す説明図であり、図６は、レリーズ操作に応じて、複数のモードそれぞれについて設定された項目の集合による撮影条件の下で撮影を行う動作の流れを説明するフローチャートであり、図７〜１６は、図５にも示す各モード内の項目の設定動作の流れを説明するフローチャートである。尚、図５に示す‘Ｓ’はシングルクリック操作を示し、‘Ｄ’はダブルクリック操作を示している。
【００６２】
以下、図６〜図１６に示すフローチャートを、図５も適宜参照しながら説明する。
【００６３】
図５に示す説明図で説明する動作や、図６に示すフローチャートで説明する動作は、デジタルカメラ１００の電源がオンされて撮影可能な状態において、図１〜図３に示すシャッタレリーズボタン１０４がダブルクリック操作もしくは半押し操作されることによって開始される。また、図７〜図１６に示すフローチャートにおける、各処理のステップの後の分岐のステップでは、ダブルクリック操作、シングルクリック操作、および半押し操作のうちのいずれかの操作が検出されることによって次の処理のステップに移行する構造となっている。
【００６４】
図５，図６に示すように、シャッタレリーズボタン１０４がダブルクリック操作され、そのダブルクリック操作が図３に示すタッチセンサ１０４１によって検出されると（ステップＳ２０１：Ｙｅｓ）、後述するモードの切替え動作や切り替えられたモード内の項目の設定動作が実行可能となる（ステップＳ２０２）。
【００６５】
ステップＳ２０２で、切り替えられたモード内の項目が後述する動作によって設定された後に、シャッタレリーズボタン１０４が半押し操作され、その半押し操作が図３に示す第１撮影用センサ１０４２によって検出されると（ステップＳ２０３：Ｙｅｓ）、図３に示すＣＰＵ１２６からの指示に従って、設定された項目の集合に基づく測光・絞り調整（ステップＳ２０４）やフォーカス調整（ステップＳ２０５）が実行される。
【００６６】
また、ステップＳ２０２で、切り替えられたモード内の項目が未設定の状態において、シャッタレリーズボタン１０４が半押し操作され、その半押し操作が第１撮影用センサ１０４２によって検出されると（ステップＳ２０３：Ｙｅｓ）、図３に示す撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【００６７】
また、ステップＳ２０１において、タッチセンサ１０４１によるダブルクリック操作の検出を受けることなく（ステップＳ２０１：Ｎｏ）シャッタレリーズボタン１０４が半押し操作され、その半押し操作が第１撮影用センサ１０４２によって検出されると（ステップＳ２０３：Ｙｅｓ）、ＣＰＵ１２６からの指示に従って、既に設定されている項目の集合に基づく測光・絞り調整（ステップＳ２０４）やフォーカス調整（ステップＳ２０５）が実行される。
【００６８】
ステップＳ２０５でフォーカス調整が実行された後にシャッタレリーズボタン１０４が初期位置に戻され、第１撮影用センサ１０４２による、シャッタレリーズボタン１０４への半押し操作の非検出状態への移行によって（ステップＳ２０６：Ｙｅｓ）、再度、上述したステップＳ２０１〜ステップＳ２０５の動作が可能となる。
【００６９】
ステップＳ２０５でフォーカス調整が実行された後に、シャッタレリーズボタン１０４が初期位置に戻されることなく（ステップＳ２０６：Ｎｏ）全押し操作され、その全押し操作が図３に示す第２撮影用センサ１０４３によって検出されると（ステップＳ２０７：Ｙｅｓ）、ＣＰＵ１２６からの指示に従って被写体の本撮影が行われて画像が取り込まれ、最終的に、撮影された画像を表す画像データが図３に示す記憶メディア１５０に保存される（ステップＳ２０８）。
【００７０】
以下、ステップＳ２０２で実行される、モードの切替え動作や切り替えられたモード内の項目の設定動作について詳述する。
【００７１】
図７は、“静止画／動画切替”モードに関する項目を設定する動作の流れを説明するフローチャートである。
【００７２】
この図７に示すフローチャートで説明する動作は、図６に示すステップＳ２０１において、図１〜図３に示すシャッタレリーズボタン１０４がダブルクリック操作され、そのダブルクリック操作が図３に示すタッチセンサ１０４１によって検出される（ステップＳ２０１：Ｙｅｓ）ことによって開始される。
【００７３】
図５，図７に示すように、まず、タッチセンサ１０４１によるシャッタレリーズボタン１０４へのダブルクリック操作の検出を受けて、静止画撮影と動画撮影との２つの項目を切り替える“静止画／動画切替”モードに移行する（ステップＳ３０１）。
【００７４】
ステップＳ３０１で“静止画／動画切替”モードに移行した後に、シャッタレリーズボタン１０４がダブルクリック操作され、そのダブルクリック操作がタッチセンサ１０４１によって検出されると（ステップＳ３０２：Ｙｅｓ）、静止画撮影が選択可能な状態に移行する（ステップＳ３０３）。
【００７５】
ステップＳ３０３で静止画撮影が選択可能な状態に移行した後に、シャッタレリーズボタン１０４がシングルクリック操作され、そのシングルクリック操作がタッチセンサ１０４１によって検出されると（ステップＳ３０４：Ｙｅｓ）、動画撮影が選択可能な状態に移行する（ステップＳ３０５）。
【００７６】
ステップＳ３０５で動画撮影が選択可能な状態に移行した後に、シャッタレリーズボタン１０４がシングルクリック操作され、そのシングルクリック操作がタッチセンサ１０４１によって検出されると（ステップＳ３０６：Ｙｅｓ）、ステップＳ３０３に戻って、再度静止画撮影が選択可能な状態に移行し、以下、タッチセンサ１０４１によるシングルクリック操作の検出を受ける毎に、動画撮影と静止画撮影とが選択可能な状態に交互に移行する。
【００７７】
また、ステップＳ３０３で静止画撮影が選択可能な状態に移行した後、もしくはステップＳ３０５で動画撮影が選択可能な状態に移行した後に、タッチセンサ１０４１によるシングルクリック操作の検出を受けることなく（ステップＳ３０４：ＮｏもしくはステップＳ３０６：Ｎｏ）シャッタレリーズボタン１０４がダブルクリック操作され、そのダブルクリック操作がタッチセンサ１０４１によって検出されると（ステップＳ３０７：Ｙｅｓ）、静止画撮影と動画撮影との２つの項目のうちの、そのダブルクリック操作が検出された時点で選択可能とされていた項目が選択されるとともに、図３に示す撮影条件設定部１３４によって、選択された項目を表す項目情報がＲＯＭ１３０から読み出されてＥ2ＰＲＯＭ１３１に書き込まれて保存され、“静止画／動画切替”モードとしてその選択された項目が設定される（ステップＳ３０８）。
【００７８】
また、ステップＳ３０１で“静止画／動画切替”モードに移行した後に、タッチセンサ１０４１によるダブルクリック操作の検出を受けることなく（ステップＳ３０２：Ｎｏ）シャッタレリーズボタン１０４がシングルクリック操作され、そのシングルクリック操作がタッチセンサ１０４１によって検出されると（ステップＳ３０９：Ｙｅｓ）、後述する、“静止画／動画切替”モードを除く各種撮影条件に関する複数のモードの切替え動作や切り替えられたモード内の項目の設定動作が実行可能となる。
【００７９】
さらに、ステップＳ３０１で“静止画／動画切替”モードに移行した後に、タッチセンサ１０４１によるダブルクリック操作の検出やシングルクリック操作の検出を受けることなく（ステップＳ３０２：Ｎｏ、およびステップＳ３０９：Ｎｏ）、“静止画／動画切替”モード内の項目が未設定の状態において、シャッタレリーズボタン１０４が半押し操作され、図６を参照して説明したように、その半押し操作が図３に示す第１撮影用センサ１０４２によって検出されると（ステップＳ２０３：Ｙｅｓ）、図３に示す撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【００８０】
また、ステップＳ３０３で静止画撮影が選択可能な状態に移行した後、もしくはステップＳ３０５で動画撮影が選択可能な状態に移行した後に、タッチセンサ１０４１によるシングルクリック操作の検出やダブルクリック操作の検出を受けることなく（ステップＳ３０４：ＮｏもしくはステップＳ３０６：Ｎｏ、およびステップＳ３０７：Ｎｏ）、“静止画／動画切替”モード内の項目が未設定の状態において、シャッタレリーズボタン１０４が半押し操作され、図６を参照して説明したように、その半押し操作が第１撮影用センサ１０４２によって検出された場合も（ステップＳ２０３：Ｙｅｓ）、撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【００８１】
図８は、“静止画／動画切替”モードを除く各種撮影条件に関する複数のモードの切替え動作の流れを説明するフローチャートである。
【００８２】
この図８に示すフローチャートで説明する動作は、図７に示すステップＳ３０９において、図１〜図３に示すシャッタレリーズボタン１０４がシングルクリック操作され、そのシングルクリック操作が図３に示すタッチセンサ１０４１によって検出される（ステップＳ３０９：Ｙｅｓ）ことによって開始される。
【００８３】
図５，図８に示すように、まず、タッチセンサ１０４１によるシャッタレリーズボタン１０４へのシングルクリック操作の検出を受けて、上述した“静止画／動画切替”モードを除く各種撮影条件に関する複数のモードを切替え可能な“撮影条件”切替に移行する（ステップＳ４０１）。
【００８４】
ステップＳ４０１で“撮影条件”切替に移行した後に、シャッタレリーズボタン１０４がダブルクリック操作され、そのダブルクリック操作がタッチセンサ１０４１によって検出されると（ステップＳ４０２：Ｙｅｓ）、連続ズームと倍率ズームとの２つの項目を切り替える“ズーム”モードに移行する（ステップＳ４０３）。
【００８５】
ステップＳ４０３で“ズーム”モードに移行した後に、シャッタレリーズボタン１０４がシングルクリック操作され、そのシングルクリック操作がタッチセンサ１０４１によって検出されると（ステップＳ４０４：Ｙｅｓ）、“マクロ”モードオンと“マクロ”モードオフとの２つの項目を切り替える“マクロ”モードに移行する（ステップＳ４０５）。
【００８６】
ステップＳ４０５で“マクロ”モードに移行した後に、シャッタレリーズボタン１０４がシングルクリック操作され、そのシングルクリック操作がタッチセンサ１０４１によって検出されると（ステップＳ４０６：Ｙｅｓ）、ＡＵＴＯ発光と強制発光と赤目補正発光との３つの項目を切り替える“フラッシュ発光”モードに移行する（ステップＳ４０７）。
【００８７】
ステップＳ４０７で“フラッシュ発光”モードに移行した後に、シャッタレリーズボタン１０４がシングルクリック操作され、そのシングルクリック操作がタッチセンサ１０４１によって検出されると（ステップＳ４０８：Ｙｅｓ）、ＩＳＯ感度を切り替える“ＩＳＯ感度”モードに移行する（ステップＳ４０９）。
【００８８】
ステップＳ４０９で“ＩＳＯ感度”モードに移行した後に、シャッタレリーズボタン１０４がシングルクリック操作され、そのシングルクリック操作がタッチセンサ１０４１によって検出されると（ステップＳ４１０：Ｙｅｓ）、レンズのＦ値とシャッタースピードとの組合せとして、組合せ１と組合せ２と組合せ３との３つの項目を切り替える“露出”モードに移行する（ステップＳ４１１）。
【００８９】
ステップＳ４１１で“露出”モードに移行した後に、シャッタレリーズボタン１０４がシングルクリック操作され、そのシングルクリック操作がタッチセンサ１０４１によって検出されると（ステップＳ４１２：Ｙｅｓ）、逆光補正”モードオンと“逆光補正”モードオフとの２つの項目を切り替える“逆光補正”モードに移行する（ステップＳ４１３）。
【００９０】
ステップＳ４１３で“逆光補正”モードに移行した後に、シャッタレリーズボタン１０４がシングルクリック操作され、そのシングルクリック操作がタッチセンサ１０４１によって検出されると（ステップＳ４１４：Ｙｅｓ）、ステップＳ４０３に戻って、再度“ズーム”モードに移行し、以下、タッチセンサ１０４１によるシングルクリック操作の検出を受ける毎に、“静止画／動画切替”モードを除く各種撮影条件に関する複数のモードに順次移行する。
【００９１】
また、ステップＳ４０１で“撮影条件”切替に移行した後に、タッチセンサ１０４１によるダブルクリック操作の検出を受けることなく（ステップＳ４０２：Ｎｏ）シャッタレリーズボタン１０４がシングルクリック操作され、そのシングルクリック操作がタッチセンサ１０４１によって検出されると（ステップＳ４１５：Ｙｅｓ）、後述する、図３に示す記憶メディア１５０に記憶されている画像データを読み出して画像を再生する“画像再生”モードに移行する。
【００９２】
また、ステップＳ４０３で“ズーム”モードに移行した後に、タッチセンサ１０４１によるシングルクリック操作の検出を受けることなく（ステップＳ４０４：Ｎｏ）シャッタレリーズボタン１０４がダブルクリック操作され、そのダブルクリック操作がタッチセンサ１０４１によって検出されると（ステップＳ４１６：Ｙｅｓ）、後述する、“ズーム”モード内の項目の設定動作が実行可能となる。
【００９３】
また、ステップＳ４０５で“マクロ”モードに移行した後に、タッチセンサ１０４１によるシングルクリック操作の検出を受けることなく（ステップＳ４０６：Ｎｏ）シャッタレリーズボタン１０４がダブルクリック操作され、そのダブルクリック操作がタッチセンサ１０４１によって検出されると（ステップＳ４１７：Ｙｅｓ）、後述する、“マクロ”モード内の項目の設定動作が実行可能となる。
【００９４】
また、ステップＳ４０７で“フラッシュ発光”モードに移行した後に、タッチセンサ１０４１によるシングルクリック操作の検出を受けることなく（ステップＳ４０８：Ｎｏ）シャッタレリーズボタン１０４がダブルクリック操作され、そのダブルクリック操作がタッチセンサ１０４１によって検出されると（ステップＳ４１８：Ｙｅｓ）、後述する、“フラッシュ発光”モード内の項目の設定動作が実行可能となる。
【００９５】
また、ステップＳ４０９で“ＩＳＯ感度”モードに移行した後に、タッチセンサ１０４１によるシングルクリック操作の検出を受けることなく（ステップＳ４１０：Ｎｏ）シャッタレリーズボタン１０４がダブルクリック操作され、そのダブルクリック操作がタッチセンサ１０４１によって検出されると（ステップＳ４１９：Ｙｅｓ）、後述する、“ＩＳＯ感度”モード内の項目の設定動作が実行可能となる。
【００９６】
また、ステップＳ４１１で“露出”モードに移行した後に、タッチセンサ１０４１によるシングルクリック操作の検出を受けることなく（ステップＳ４１２：Ｎｏ）シャッタレリーズボタン１０４がダブルクリック操作され、そのダブルクリック操作がタッチセンサ１０４１によって検出されると（ステップＳ４２０：Ｙｅｓ）、後述する、“露出”モード内の項目の設定動作が実行可能となる。
【００９７】
また、ステップＳ４１３で“逆光補正”モードに移行した後に、タッチセンサ１０４１によるシングルクリック操作の検出を受けることなく（ステップＳ４１４：Ｎｏ）シャッタレリーズボタン１０４がダブルクリック操作され、そのダブルクリック操作がタッチセンサ１０４１によって検出されると（ステップＳ４２１：Ｙｅｓ）、後述する、“逆光補正”モード内の項目の設定動作が実行可能となる。
【００９８】
さらに、ステップＳ４０１で“撮影条件”切替に移行した後に、タッチセンサ１０４１によるダブルクリック操作の検出やシングルクリック操作の検出を受けることなく（ステップＳ４０２：Ｎｏ、およびステップＳ４１５：Ｎｏ）、“静止画／動画切替”モードを除く各種撮影条件に関する複数のモード内の項目が未設定の状態において、シャッタレリーズボタン１０４が半押し操作され、図６を参照して説明したように、その半押し操作が図３に示す第１撮影用センサ１０４２によって検出されると（ステップＳ２０３：Ｙｅｓ）、図３に示す撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【００９９】
また、ステップＳ４０３で“ズーム”モードに移行した後や、ステップＳ４０５で“マクロ”モードに移行した後や、ステップＳ４０７で“フラッシュ発光”モードに移行した後や、ステップＳ４０９で“ＩＳＯ感度”モードに移行した後や、ステップＳ４１１で“露出”モードに移行した後や、ステップＳ４１３で“逆光補正”モードに移行した後に、タッチセンサ１０４１によるシングルクリック操作の検出やダブルクリック操作の検出を受けることなく（ステップＳ４０４：ＮｏおよびステップＳ４１６：Ｎｏや、ステップＳ４０６：ＮｏおよびステップＳ４１７：Ｎｏや、ステップＳ４０８：ＮｏおよびステップＳ４１８：Ｎｏや、ステップＳ４１０：ＮｏおよびステップＳ４１９：Ｎｏや、ステップＳ４１２：ＮｏおよびステップＳ４２０：Ｎｏや、ステップＳ４１４：ＮｏおよびステップＳ４２１：Ｎｏ）、“静止画／動画切替”モードを除く各種撮影条件に関する複数のモード内の項目が未設定の状態において、シャッタレリーズボタン１０４が半押し操作され、図６を参照して説明したように、その半押し操作が第１撮影用センサ１０４２によって検出された場合も（ステップＳ２０３：Ｙｅｓ）、撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【０１００】
図９は、“静止画／動画切替”モードを除く各種撮影条件に関する複数のモードのうちの“ズーム”モードに関する項目を設定する動作の流れを説明するフローチャートである。
【０１０１】
この図９に示すフローチャートで説明する動作は、図８に示すステップＳ４１６において、図１〜図３に示すシャッタレリーズボタン１０４がダブルクリック操作され、そのダブルクリック操作が図３に示すタッチセンサ１０４１によって検出される（ステップＳ４１６：Ｙｅｓ）ことによって開始される。
【０１０２】
図５，図９に示すように、タッチセンサ１０４１によるシャッタレリーズボタン１０４へのダブルクリック操作の検出を受けて、連続ズームが選択可能な状態に移行する（ステップＳ５０１）。
【０１０３】
ステップＳ５０１で連続ズームが選択可能な状態に移行した後に、シャッタレリーズボタン１０４がシングルクリック操作され、そのシングルクリック操作がタッチセンサ１０４１によって検出されると（ステップＳ５０２：Ｙｅｓ）、倍率ズームが選択可能な状態に移行する（ステップＳ５０３）。
【０１０４】
ステップＳ５０３で倍率ズームが選択可能な状態に移行した後に、シャッタレリーズボタン１０４がシングルクリック操作され、そのシングルクリック操作がタッチセンサ１０４１によって検出されると（ステップＳ５０４：Ｙｅｓ）、ステップＳ５０１に戻って、再度連続ズームが選択可能な状態に移行し、以下、タッチセンサ１０４１によるシングルクリック操作の検出を受ける毎に、倍率ズームと連続ズームとが選択可能な状態に交互に移行する。
【０１０５】
また、ステップＳ５０１で連続ズームが選択可能な状態に移行した後、もしくはステップＳ５０３で倍率ズームが選択可能な状態に移行した後に、タッチセンサ１０４１によるシングルクリック操作の検出を受けることなく（ステップＳ５０２：ＮｏもしくはステップＳ５０４：Ｎｏ）シャッタレリーズボタン１０４がダブルクリック操作され、そのダブルクリック操作がタッチセンサ１０４１によって検出されると（ステップＳ５０５：Ｙｅｓ）、連続ズームと倍率ズームとの２つの項目のうちの、そのダブルクリック操作が検出された時点で選択可能とされていた項目が選択されるとともに、図３に示す撮影条件設定部１３４によって、選択された項目を表す項目情報がＲＯＭ１３０から読み出されてＥ2ＰＲＯＭ１３１に書き込まれて保存され、“ズーム”モードとしてその選択された項目が設定される（ステップＳ３０６）。
【０１０６】
さらに、ステップＳ５０１で連続ズームが選択可能な状態に移行した後、もしくはステップＳ５０３で倍率ズームが選択可能な状態に移行した後に、タッチセンサ１０４１によるシングルクリック操作の検出やダブルクリック操作の検出を受けることなく（ステップＳ５０２：ＮｏもしくはステップＳ５０４：Ｎｏ、およびステップＳ５０５：Ｎｏ）、“ズーム”モード内の項目が未設定の状態において、シャッタレリーズボタン１０４が半押し操作され、図６を参照して説明したように、その半押し操作が第１撮影用センサ１０４２によって検出されると（ステップＳ２０３：Ｙｅｓ）、撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【０１０７】
図１０は、“静止画／動画切替”モードを除く各種撮影条件に関する複数のモードのうちの“マクロ”モードに関する項目を設定する動作の流れを説明するフローチャートである。
【０１０８】
この図１０に示すフローチャートで説明する動作は、図８に示すステップＳ４１７において、図１〜図３に示すシャッタレリーズボタン１０４がダブルクリック操作され、そのダブルクリック操作が図３に示すタッチセンサ１０４１によって検出される（ステップＳ４１７：Ｙｅｓ）ことによって開始される。
【０１０９】
図５，図１０に示すように、タッチセンサ１０４１によるシャッタレリーズボタン１０４へのダブルクリック操作の検出を受けて、“マクロ”モードオンが選択可能な状態に移行する（ステップＳ６０１）。
【０１１０】
ステップＳ６０１で“マクロ”モードオンが選択可能な状態に移行した後に、シャッタレリーズボタン１０４がシングルクリック操作され、そのシングルクリック操作がタッチセンサ１０４１によって検出されると（ステップＳ６０２：Ｙｅｓ）、“マクロ”モードオフが選択可能な状態に移行する（ステップＳ６０３）。
【０１１１】
ステップＳ６０３で“マクロ”モードオフが選択可能な状態に移行した後に、シャッタレリーズボタン１０４がシングルクリック操作され、そのシングルクリック操作がタッチセンサ１０４１によって検出されると（ステップＳ６０４：Ｙｅｓ）、ステップＳ６０１に戻って、再度“マクロ”モードオンが選択可能な状態に移行し、以下、タッチセンサ１０４１によるシングルクリック操作の検出を受ける毎に、“マクロ”モードオフと“マクロ”モードオンとが選択可能な状態に交互に移行する。
【０１１２】
また、ステップＳ６０１で“マクロ”モードオンが選択可能な状態に移行した後、もしくはステップＳ６０３で“マクロ”モードオフが選択可能な状態に移行した後に、タッチセンサ１０４１によるシングルクリック操作の検出を受けることなく（ステップＳ６０２：ＮｏもしくはステップＳ６０４：Ｎｏ）シャッタレリーズボタン１０４がダブルクリック操作され、そのダブルクリック操作がタッチセンサ１０４１によって検出されると（ステップＳ６０５：Ｙｅｓ）、“マクロ”モードオンと“マクロ”モードオフとの２つの項目のうちの、そのダブルクリック操作が検出された時点で選択可能とされていた項目が選択されるとともに、図３に示す撮影条件設定部１３４によって、選択された項目を表す項目情報がＲＯＭ１３０から読み出されてＥ2ＰＲＯＭ１３１に書き込まれて保存され、“マクロ”モードとしてその選択された項目が設定される（ステップＳ６０６）。
【０１１３】
さらに、ステップＳ６０１で“マクロ”モードオンが選択可能な状態に移行した後、もしくはステップＳ６０３で“マクロ”モードオフが選択可能な状態に移行した後に、タッチセンサ１０４１によるシングルクリック操作の検出やダブルクリック操作の検出を受けることなく（ステップＳ６０２：ＮｏもしくはステップＳ６０４：Ｎｏ、およびステップＳ６０５：Ｎｏ）、“マクロ”モード内の項目が未設定の状態において、シャッタレリーズボタン１０４が半押し操作され、図６を参照して説明したように、その半押し操作が第１撮影用センサ１０４２によって検出されると（ステップＳ２０３：Ｙｅｓ）、撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【０１１４】
図１１は、“静止画／動画切替”モードを除く各種撮影条件に関する複数のモードのうちの“フラッシュ発光”モードに関する項目を設定する動作の流れを説明するフローチャートである。
【０１１５】
この図１１に示すフローチャートで説明する動作は、図８に示すステップＳ４１８において、図１〜図３に示すシャッタレリーズボタン１０４がダブルクリック操作され、そのダブルクリック操作が図３に示すタッチセンサ１０４１によって検出される（ステップＳ４１８：Ｙｅｓ）ことによって開始される。
【０１１６】
図５，図１１に示すように、タッチセンサ１０４１によるシャッタレリーズボタン１０４へのダブルクリック操作の検出を受けて、ＡＵＴＯ発光が選択可能な状態に移行する（ステップＳ７０１）。
【０１１７】
ステップＳ７０１でＡＵＴＯ発光が選択可能な状態に移行した後に、シャッタレリーズボタン１０４がシングルクリック操作され、そのシングルクリック操作がタッチセンサ１０４１によって検出されると（ステップＳ７０２：Ｙｅｓ）、強制発光が選択可能な状態に移行する（ステップＳ７０３）。
【０１１８】
ステップＳ７０３で強制発光が選択可能な状態に移行した後に、シャッタレリーズボタン１０４がシングルクリック操作され、そのシングルクリック操作がタッチセンサ１０４１によって検出されると（ステップＳ７０４：Ｙｅｓ）、赤目補正発光が選択可能な状態に移行する（ステップＳ７０５）。
【０１１９】
ステップＳ７０５で赤目補正発光が選択可能な状態に移行した後に、シャッタレリーズボタン１０４がシングルクリック操作され、そのシングルクリック操作がタッチセンサ１０４１によって検出されると（ステップＳ７０６：Ｙｅｓ）、ステップＳ７０１に戻って、再度ＡＵＴＯ発光が選択可能な状態に移行し、以下、タッチセンサ１０４１によるシングルクリック操作の検出を受ける毎に、強制発光と赤目補正発光とＡＵＴＯ発光とが選択可能な状態に順次移行する。
【０１２０】
また、ステップＳ７０１でＡＵＴＯ発光が選択可能な状態に移行した後、ステップＳ７０３で強制発光が選択可能な状態に移行した後、もしくはステップＳ７０５で赤目補正発光が選択可能な状態に移行した後に、タッチセンサ１０４１によるシングルクリック操作の検出を受けることなく（ステップＳ７０２：Ｎｏ、ステップＳ７０４：Ｎｏ、もしくはステップＳ７０６：Ｎｏ）シャッタレリーズボタン１０４がダブルクリック操作され、そのダブルクリック操作がタッチセンサ１０４１によって検出されると（ステップＳ７０７：Ｙｅｓ）、ＡＵＴＯ発光と強制発光と赤目補正発光との３つの項目のうちの、そのダブルクリック操作が検出された時点で選択可能とされていた項目が選択されるとともに、図３に示す撮影条件設定部１３４によって、選択された項目を表す項目情報がＲＯＭ１３０から読み出されてＥ2ＰＲＯＭ１３１に書き込まれて保存され、“フラッシュ発光”モードとしてその選択された項目が設定される（ステップＳ７０８）。
【０１２１】
さらに、ステップＳ７０１でＡＵＴＯ発光が選択可能な状態に移行した後、ステップＳ７０３で強制発光が選択可能な状態に移行した後、もしくはステップＳ７０５で赤目補正発光が選択可能な状態に移行した後に、タッチセンサ１０４１によるシングルクリック操作の検出やダブルクリック操作の検出を受けることなく（ステップＳ７０２：Ｎｏ、ステップＳ７０４：Ｎｏ、もしくはステップＳ７０６：Ｎｏ、およびステップＳ７０７：Ｎｏ）、“フラッシュ発光”モード内の項目が未設定の状態において、シャッタレリーズボタン１０４が半押し操作され、図６を参照して説明したように、その半押し操作が第１撮影用センサ１０４２によって検出されると（ステップＳ２０３：Ｙｅｓ）、撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【０１２２】
図１２は、“静止画／動画切替”モードを除く各種撮影条件に関する複数のモードのうちの“ＩＳＯ感度”モードに関する項目を設定する動作の流れを説明するフローチャートである。
【０１２３】
この図１２に示すフローチャートで説明する動作は、図８に示すステップＳ４１９において、図１〜図３に示すシャッタレリーズボタン１０４がダブルクリック操作され、そのダブルクリック操作が図３に示すタッチセンサ１０４１によって検出される（ステップＳ４１９：Ｙｅｓ）ことによって開始される。
【０１２４】
図５，図１２に示すように、タッチセンサ１０４１によるシャッタレリーズボタン１０４へのダブルクリック操作の検出を受けて、ＩＳＯ感度＝２００が選択可能な状態に移行する（ステップＳ８０１）。
【０１２５】
ステップＳ８０１でＩＳＯ感度＝２００が選択可能な状態に移行した後に、シャッタレリーズボタン１０４がシングルクリック操作され、そのシングルクリック操作がタッチセンサ１０４１によって検出されると（ステップＳ８０２：Ｙｅｓ）、ＩＳＯ感度＝４００が選択可能な状態に移行する（ステップＳ８０３）。
【０１２６】
ステップＳ８０３でＩＳＯ感度＝４００が選択可能な状態に移行した後に、シャッタレリーズボタン１０４がシングルクリック操作され、そのシングルクリック操作がタッチセンサ１０４１によって検出されると（ステップＳ８０４：Ｙｅｓ）、ＩＳＯ感度＝８００が選択可能な状態に移行する（ステップＳ８０５）。
【０１２７】
ステップＳ８０５でＩＳＯ感度＝８００が選択可能な状態に移行した後に、シャッタレリーズボタン１０４がシングルクリック操作され、そのシングルクリック操作がタッチセンサ１０４１によって検出されると（ステップＳ８０６：Ｙｅｓ）、ステップＳ８０１に戻って、再度ＩＳＯ感度＝２００が選択可能な状態に移行し、以下、タッチセンサ１０４１によるシングルクリック操作の検出を受ける毎に、ＩＳＯ感度＝４００とＩＳＯ感度＝８００とＩＳＯ感度＝２００とが選択可能な状態に順次移行する。
【０１２８】
また、ステップＳ８０１でＩＳＯ感度＝２００が選択可能な状態に移行した後、ステップＳ８０３でＩＳＯ感度＝４００が選択可能な状態に移行した後、もしくはステップＳ８０５でＩＳＯ感度＝８００が選択可能な状態に移行した後に、タッチセンサ１０４１によるシングルクリック操作の検出を受けることなく（ステップＳ８０２：Ｎｏ、ステップＳ８０４：Ｎｏ、もしくはステップＳ８０６：Ｎｏ）シャッタレリーズボタン１０４がダブルクリック操作され、そのダブルクリック操作がタッチセンサ１０４１によって検出されると（ステップＳ８０７：Ｙｅｓ）、ＩＳＯ感度＝２００とＩＳＯ感度＝４００とＩＳＯ感度＝８００との３つの項目のうちの、そのダブルクリック操作が検出された時点で選択可能とされていた項目が選択されるとともに、図３に示す撮影条件設定部１３４によって、選択された項目を表す項目情報がＲＯＭ１３０から読み出されてＥ2ＰＲＯＭ１３１に書き込まれて保存され、“ＩＳＯ感度”モードとしてその選択された項目が設定される（ステップＳ８０８）。
【０１２９】
さらに、ステップＳ８０１でＩＳＯ感度＝２００が選択可能な状態に移行した後、ステップＳ８０３でＩＳＯ感度＝４００が選択可能な状態に移行した後、もしくはステップＳ８０５でＩＳＯ感度＝８００が選択可能な状態に移行した後に、タッチセンサ１０４１によるシングルクリック操作の検出やダブルクリック操作の検出を受けることなく（ステップＳ８０２：Ｎｏ、ステップＳ８０４：Ｎｏ、もしくはステップＳ８０６：Ｎｏ、およびステップＳ８０７：Ｎｏ）、“ＩＳＯ感度”モード内の項目が未設定の状態において、シャッタレリーズボタン１０４が半押し操作され、図６を参照して説明したように、その半押し操作が第１撮影用センサ１０４２によって検出されると（ステップＳ２０３：Ｙｅｓ）、撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【０１３０】
図１３は、“静止画／動画切替”モードを除く各種撮影条件に関する複数のモードのうちの“露出”モードに関する項目を設定する動作の流れを説明するフローチャートである。
【０１３１】
この図１３に示すフローチャートで説明する動作は、図８に示すステップＳ４２０において、図１〜図３に示すシャッタレリーズボタン１０４がダブルクリック操作され、そのダブルクリック操作が図３に示すタッチセンサ１０４１によって検出される（ステップＳ４２０：Ｙｅｓ）ことによって開始される。
【０１３２】
図５，図１３に示すように、タッチセンサ１０４１によるシャッタレリーズボタン１０４へのダブルクリック操作の検出を受けて、組合せ１が選択可能な状態に移行する（ステップＳ９０１）。
【０１３３】
ステップＳ９０１で組合せ１が選択可能な状態に移行した後に、シャッタレリーズボタン１０４がシングルクリック操作され、そのシングルクリック操作がタッチセンサ１０４１によって検出されると（ステップＳ９０２：Ｙｅｓ）、組合せ２が選択可能な状態に移行する（ステップＳ９０３）。
【０１３４】
ステップＳ９０３で組合せ２が選択可能な状態に移行した後に、シャッタレリーズボタン１０４がシングルクリック操作され、そのシングルクリック操作がタッチセンサ１０４１によって検出されると（ステップＳ９０４：Ｙｅｓ）、組合せ３が選択可能な状態に移行する（ステップＳ９０５）。
【０１３５】
ステップＳ９０５で組合せ３が選択可能な状態に移行した後に、シャッタレリーズボタン１０４がシングルクリック操作され、そのシングルクリック操作がタッチセンサ１０４１によって検出されると（ステップＳ９０６：Ｙｅｓ）、ステップＳ９０１に戻って、再度組合せ１が選択可能な状態に移行し、以下、タッチセンサ１０４１によるシングルクリック操作の検出を受ける毎に、組合せ２と組合せ３と組合せ１とが選択可能な状態に順次移行する。
【０１３６】
また、ステップＳ９０１で組合せ１が選択可能な状態に移行した後、ステップＳ９０３で組合せ２が選択可能な状態に移行した後、もしくはステップＳ９０５で組合せ３が選択可能な状態に移行した後に、タッチセンサ１０４１によるシングルクリック操作の検出を受けることなく（ステップＳ９０２：Ｎｏ、ステップＳ９０４：Ｎｏ、もしくはステップＳ９０６：Ｎｏ）シャッタレリーズボタン１０４がダブルクリック操作され、そのダブルクリック操作がタッチセンサ１０４１によって検出されると（ステップＳ９０７：Ｙｅｓ）、組合せ１と組合せ２と組合せ３との３つの項目のうちの、そのダブルクリック操作が検出された時点で選択可能とされていた項目が選択されるとともに、図３に示す撮影条件設定部１３４によって、選択された項目を表す項目情報がＲＯＭ１３０から読み出されてＥ2ＰＲＯＭ１３１に書き込まれて保存され、“露出”モードとしてその選択された項目が設定される（ステップＳ９０８）。
【０１３７】
さらに、ステップＳ９０１で組合せ１が選択可能な状態に移行した後、ステップＳ９０３で組合せ２が選択可能な状態に移行した後、もしくはステップＳ９０５で組合せ３が選択可能な状態に移行した後に、タッチセンサ１０４１によるシングルクリック操作の検出やダブルクリック操作の検出を受けることなく（ステップＳ９０２：Ｎｏ、ステップＳ９０４：Ｎｏ、もしくはステップＳ９０６：Ｎｏ、およびステップＳ９０７：Ｎｏ）、“露出”モード内の項目が未設定の状態において、シャッタレリーズボタン１０４が半押し操作され、図６を参照して説明したように、その半押し操作が第１撮影用センサ１０４２によって検出されると（ステップＳ２０３：Ｙｅｓ）、撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【０１３８】
図１４は、“静止画／動画切替”モードを除く各種撮影条件に関する複数のモードのうちの“逆光補正”モードに関する項目を設定する動作の流れを説明するフローチャートである。
【０１３９】
この図１４に示すフローチャートで説明する動作は、図８に示すステップＳ４２１において、図１〜図３に示すシャッタレリーズボタン１０４がダブルクリック操作され、そのダブルクリック操作が図３に示すタッチセンサ１０４１によって検出される（ステップＳ４２１：Ｙｅｓ）ことによって開始される。
【０１４０】
図５，図１４に示すように、タッチセンサ１０４１によるシャッタレリーズボタン１０４へのダブルクリック操作の検出を受けて、“逆光補正”モードオンが選択可能な状態に移行する（ステップＳ１００１）。
【０１４１】
ステップＳ１００１で“逆光補正”モードオンが選択可能な状態に移行した後に、シャッタレリーズボタン１０４がシングルクリック操作され、そのシングルクリック操作がタッチセンサ１０４１によって検出されると（ステップＳ１００２：Ｙｅｓ）、“逆光補正”モードオフが選択可能な状態に移行する（ステップＳ１００３）。
【０１４２】
ステップＳ１００３で“逆光補正”モードオフが選択可能な状態に移行した後に、シャッタレリーズボタン１０４がシングルクリック操作され、そのシングルクリック操作がタッチセンサ１０４１によって検出されると（ステップＳ１００４：Ｙｅｓ）、ステップＳ１００１に戻って、再度“逆光補正”モードオンが選択可能な状態に移行し、以下、タッチセンサ１０４１によるシングルクリック操作の検出を受ける毎に、“逆光補正”モードオフと“逆光補正”モードオンとが選択可能な状態に交互に移行する。
【０１４３】
また、ステップＳ１００１で“逆光補正”モードオンが選択可能な状態に移行した後、もしくはステップＳ１００３で“逆光補正”モードオフが選択可能な状態に移行した後に、タッチセンサ１０４１によるシングルクリック操作の検出を受けることなく（ステップＳ１００２：ＮｏもしくはステップＳ１００４：Ｎｏ）シャッタレリーズボタン１０４がダブルクリック操作され、そのダブルクリック操作がタッチセンサ１０４１によって検出されると（ステップＳ１００５：Ｙｅｓ）、“逆光補正”モードオンと“逆光補正”モードオフとの２つの項目のうちの、そのダブルクリック操作が検出された時点で選択可能とされていた項目が選択されるとともに、図３に示す撮影条件設定部１３４によって、選択された項目を表す項目情報がＲＯＭ１３０から読み出されてＥ2ＰＲＯＭ１３１に書き込まれて保存され、“逆光補正”モードとしてその選択された項目が設定される（ステップＳ１００６）。
【０１４４】
さらに、ステップＳ１００１で“逆光補正”モードオンが選択可能な状態に移行した後、もしくはステップＳ１００３で“逆光補正”モードオフが選択可能な状態に移行した後に、タッチセンサ１０４１によるシングルクリック操作の検出やダブルクリック操作の検出を受けることなく（ステップＳ１００２：ＮｏもしくはステップＳ１００４：Ｎｏ、およびステップＳ１００５：Ｎｏ）、“逆光補正”モード内の項目が未設定の状態において、シャッタレリーズボタン１０４が半押し操作され、図６を参照して説明したように、その半押し操作が第１撮影用センサ１０４２によって検出されると（ステップＳ２０３：Ｙｅｓ）、撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【０１４５】
図１５は、“画像再生”モードに関する項目を設定する動作の流れを説明するフローチャートである。
【０１４６】
この図１５に示すフローチャートで説明する動作は、図８に示すステップＳ４１５において、図１〜図３に示すシャッタレリーズボタン１０４がシングルクリック操作され、そのシングルクリック操作が図３に示すタッチセンサ１０４１によって検出される（ステップＳ４１５：Ｙｅｓ）ことによって開始される。
【０１４７】
図５，図１５に示すように、タッチセンサ１０４１によるシャッタレリーズボタン１０４へのダブルクリック操作の検出を受けて、“画像再生”モードが選択可能な状態に移行する（ステップＳ１１０１）。
【０１４８】
ステップＳ１１０１で“画像再生”モードが選択可能な状態に移行した後に、シャッタレリーズボタン１０４がダブルクリック操作され、そのダブルクリック操作がタッチセンサ１０４１によって検出されると（ステップＳ１１０２：Ｙｅｓ）、図３に示す画像再生モード切替制御部１３５によって、記憶メディア１５０に記憶されている画像データを読み出して画像が再生される（ステップＳ１１０３）。
【０１４９】
また、ステップＳ１１０１で“画像再生”モードが選択可能な状態に移行した後に、タッチセンサ１０４１によるダブルクリック操作の検出を受けることなく（ステップＳ１１０２：Ｎｏ）シャッタレリーズボタン１０４がシングルクリック操作され、そのシングルクリック操作がタッチセンサ１０４１によって検出されると（ステップＳ１１０４：Ｙｅｓ）、後述する、デジタルカメラ１００の電源をオフにする“電源オフ”モードに移行する。
【０１５０】
さらに、ステップＳ１１０１で“画像再生”モードが選択可能な状態に移行した後に、タッチセンサ１０４１によるダブルクリック操作の検出やシングルクリック操作の検出を受けることなく（ステップＳ１１０２：Ｎｏ、およびステップＳ１１０４：Ｎｏ）、“画像再生”モードが未設定の状態において、シャッタレリーズボタン１０４が半押し操作され、図６を参照して説明したように、その半押し操作が図３に示す第１撮影用センサ１０４２によって検出されると（ステップＳ２０３：Ｙｅｓ）、図３に示す撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【０１５１】
図１６は、“電源オフ”モードに関する項目を設定する動作の流れを説明するフローチャートである。
【０１５２】
この図１６に示すフローチャートで説明する動作は、図１５に示すステップＳ１１０４において、図１〜図３に示すシャッタレリーズボタン１０４がシングルクリック操作され、そのシングルクリック操作が図３に示すタッチセンサ１０４１によって検出される（ステップＳ１１０４：Ｙｅｓ）ことによって開始される。
【０１５３】
図５，図１６に示すように、タッチセンサ１０４１によるシャッタレリーズボタン１０４へのダブルクリック操作の検出を受けて、“電源オフ”モードが選択可能な状態に移行する（ステップＳ１２０１）。
【０１５４】
ステップＳ１２０１で“電源オフ”モードが選択可能な状態に移行した後に、シャッタレリーズボタン１０４がダブルクリック操作され、そのダブルクリック操作がタッチセンサ１０４１によって検出されると（ステップＳ１２０２：Ｙｅｓ）、図３に示す画像再生電源制御部１３３によって電源がオフされる（ステップＳ１２０３）。デジタルカメラ１００の電源がオフされると、図３に示すＣＰＵ１２６からの指示に従って、デジタルカメラ１００の本体に対して光軸方向に進退する沈胴式のレンズ鏡胴がレンズの焦点距離領域より更に沈胴されて、レンズ先端部がデジタルカメラ本体より突出しない状態となる。
【０１５５】
また、ステップＳ１２０１で“電源オフ”モードが選択可能な状態に移行した後に、タッチセンサ１０４１によるダブルクリック操作の検出を受けることなく（ステップＳ１２０２：Ｎｏ）シャッタレリーズボタン１０４がシングルクリック操作され、そのシングルクリック操作がタッチセンサ１０４１によって検出されると（ステップＳ１２０４：Ｙｅｓ）、上述した、“静止画／動画切替”モードに移行し、以下、タッチセンサ１０４１によるシングルクリック操作の検出を受ける毎に、“撮影条件”切替と“画像再生”モードと“電源オフ”モードと“静止画／動画切替”モードとに順次移行する。
【０１５６】
さらに、ステップＳ１２０１で“電源オフ”モードが選択可能な状態に移行した後に、タッチセンサ１０４１によるダブルクリック操作の検出やシングルクリック操作の検出を受けることなく（ステップＳ１２０２：Ｎｏ、およびステップＳ１２０４：Ｎｏ）、“電源オフ”モードが未設定の状態において、シャッタレリーズボタン１０４が半押し操作され、図６を参照して説明したように、その半押し操作が図３に示す第１撮影用センサ１０４２によって検出されると（ステップＳ２０３：Ｙｅｓ）、図３に示す撮影条件設定部１３４によって未設定の項目を設定することなく項目の設定動作が終了され、ＣＰＵ１２６からの指示に従って、既に設定されている項目の集合に基づく測光・絞り調整（ステップＳ２０４）やフォーカス調整（ステップＳ２０５）が実行される。
【０１５７】
以上説明したように、本実施形態のデジタルカメラ１００は、モードの切替えと切り替えられたモード内の項目の設定を、タッチセンサ１０４１の検出による、シャッタレリーズボタン１０４への２種類の操作の組合せに応じて行うものである。一般に、レリーズ操作を行うためのシャッタレリーズボタンは、ユーザが撮影装置を構えるときに指を置きやすい位置に設けられている。従って、そのような位置に設けられるシャッタレリーズボタン１０４への操作で、モードの切替えや、モード内の項目の設定も行うことができるように構成された、本実施形態のデジタルカメラ１００によれば、デジタルカメラ１００を構えたままの状態で、所望の撮影条件を設定し、設定された撮影条件に基づく撮影を行うことが容易であるため、例えば、このデジタルカメラ１００を片手で構えるような場合であっても操作性が良い。また、本実施形態のデジタルカメラ１００によれば、電源がオフの状態から電源をオンにする際に片手で操作したり、デジタルカメラ１００を構えた状態であっても、静止画撮影と動画撮影とを素早く切り替えたり、記憶メディア１５０に記憶されている画像データを表す画像を再生する際に片手で操作したり、撮影後に電源をオフにする際に片手で操作することができるため、使い勝手がよい。さらに、本実施形態のデジタルカメラ１００によれば、例えば、デジタルカメラ１００を構えた際に、誤操作によってモードを切り替える動作に移行してしまったとしても、モード内の項目が未設定の状態で撮影動作を行うことによって、モードを切り替える動作が取り消されるとともに、撮影動作が実行されるため、例えば、誤操作によってシャッタチャンスを逃すようなことが回避される。
【０１５８】
尚、上述した実施形態では、ＣＣＤ上に被写体の像を結像させて、その被写体を表す撮影画像データを取り込むデジタルカメラに本発明を適用した例で説明したが、本発明は、これに限られるものではなく、例えば、写真フィルム上に写真撮影を行うフィルムカメラなどといった撮影装置にも適用することができる。
【０１５９】
また、上述した実施形態では、本発明にいうレリーズボタンが、接触／非接触と半押しと全押しの３段で構成された例について説明したが、本発明にいうレリーズボタンは、これに限られるものではなく、例えば、接触／非接触と全押しの２段で構成されたものであってもよい。
【０１６０】
また、上述した実施形態では、本発明にいう「２種類の操作態様の操作の組合せ」が、シングルクリック操作とダブルクリック操作との組合せである例について説明したが、本発明にいう「２種類の操作態様の操作の組合せ」は、これに限られるものではなく、例えば、シングルクリック操作と長押し操作との組合せなどであってもよい。
【０１６１】
また、上述した実施形態では、本発明にいうモード設定用センサが、レリーズボタンへの接触／非接触を検出するタッチセンサである例について説明したが、本発明にいうモード設定用センサは、これに限られるものではなく、例えば、レリーズボタンへの寸押しを検出するセンサや赤外線センサや指紋センサなどであってもよい。
【図面の簡単な説明】
【０１６２】
【図１】本発明の撮影装置の一実施形態が適用されたデジタルカメラを前面斜め上から見た外観斜視図である。
【図２】図１に示すデジタルカメラを背面斜め上から見た外観斜視図である。
【図３】図１，図２に示すデジタルカメラのブロック図である。
【図４】デジタルカメラの電源がオフの状態から電源をオンにするまでの間における動作の流れを説明するフローチャートである。
【図５】デジタルカメラのシャッタレリーズボタンへの操作に応じた、モードの切替え動作および切り替えられたモード内の項目の設定動作の流れの一覧を示す説明図である。
【図６】レリーズ操作に応じて、複数のモードそれぞれについて設定された項目の集合による撮影条件の下で撮影を行う動作の流れを説明するフローチャートである。
【図７】“静止画／動画切替”モードに関する項目を設定する動作の流れを説明するフローチャートである。
【図８】“静止画／動画切替”モードを除く各種撮影条件に関する複数のモードの切替え動作の流れを説明するフローチャートである。
【図９】“静止画／動画切替”モードを除く各種撮影条件に関する複数のモードのうちの“ズーム”モードに関する項目を設定する動作の流れを説明するフローチャートである。
【図１０】“静止画／動画切替”モードを除く各種撮影条件に関する複数のモードのうちの“マクロ”モードに関する項目を設定する動作の流れを説明するフローチャートである。
【図１１】“静止画／動画切替”モードを除く各種撮影条件に関する複数のモードのうちの“フラッシュ発光”モードに関する項目を設定する動作の流れを説明するフローチャートである。
【図１２】“静止画／動画切替”モードを除く各種撮影条件に関する複数のモードのうちの“ＩＳＯ感度”モードに関する項目を設定する動作の流れを説明するフローチャートである。
【図１３】“静止画／動画切替”モードを除く各種撮影条件に関する複数のモードのうちの“露出”モードに関する項目を設定する動作の流れを説明するフローチャートである。
【図１４】“静止画／動画切替”モードを除く各種撮影条件に関する複数のモードのうちの“逆光補正”モードに関する項目を設定する動作の流れを説明するフローチャートである。
【図１５】“画像再生”モードに関する項目を設定する動作の流れを説明するフローチャートである。
【図１６】“電源オフ”モードに関する項目を設定する動作の流れを説明するフローチャートである。
【符号の説明】
【０１６３】
１００    デジタルカメラ
１０１    撮影レンズ
１０２    光学式ファインダ対物窓
１０３    閃光発光装置
１０４    シャッタレリーズボタン
１０４１    タッチセンサ
１０４２    第１撮影用センサ
１０４３    第２撮影用センサ
１０５    光学式ファインダ接眼窓
１０６    ズーム操作キー
１０６ａ，１０６ｂ    操作部
１０７    ＬＣＤパネル
１１１    ズームレンズ
１１１ａ    モータドライバ
１１１ｂ    ズームモータ
１１２    アイリス
１１２ａ    モータドライバ
１１２ｂ    絞りモータ
１１３    フォーカスレンズ
１１３ａ    モータドライバ
１１３ｂ    フォーカスモータ
１１４    ＣＣＤ
１１４ａ    タイミングジェネレータ
１２１    ＣＤＳ−ＡＭＰ
１２２    Ａ／Ｄ変換部
１２３    メモリコントローラ
１２４    ＡＦ値判断部
１２５    画像信号処理部
１２６    ＣＰＵ
１２７    ＡＦ検出部
１２８    ビデオエンコーダ
１２９    メディアコントローラ
１３０    ＲＯＭ
１３１    Ｅ2ＰＲＯＭ
１３２    ＲＡＭ
１３３    電源制御部
１３４    撮影条件設定部
１３５    画像再生モード切替制御部
１４０    画像表示装置
１５０    記憶メディア
【図１】
2006333075.tif 000003
【図２】
2006333075.tif 000004
【図３】
2006333075.tif 000005
【図４】
2006333075.tif 000006
【図５】
2006333075.tif 000007
【図６】
2006333075.tif 000008
【図７】
2006333075.tif 000009
【図８】
2006333075.tif 000010
【図９】
2006333075.tif 000011
【図１０】
2006333075.tif 000012
【図１１】
2006333075.tif 000013
【図１２】
2006333075.tif 000014
【図１３】
2006333075.tif 000015
【図１４】
2006333075.tif 000016
【図１５】
2006333075.tif 000017
【図１６】
2006333075.tif 000018